(57)【要約】【課題】種々の寸法の内筐体を組み合わせて容易に一つの外筐体に搭載することを目的とする。【解決手段】筐体は、天板、側板及び底板のそれぞれに第１の係合曲げ部を備えた内筐体と、内側の厚み方向の寸法と幅方向の寸法が、それぞれ、前記内筐体の外側の厚み方向の寸法と幅方向の寸法の整数倍に対応させて設定され、天板、側板及び底板のそれぞれに、搭載された前記内筐体が備える前記第１の係合曲げ部と係合する第２の係合曲げ部を備えた外筐体と、を備え、少なくとも一つの前記内筐体が外筐体内に搭載される。【選択図】図６
2019220579.tif 000002
【特許請求の範囲】
【請求項１】
天板、側板及び底板のそれぞれに第１の係合曲げ部を備えた内筐体と、
内側の厚み方向の寸法と幅方向の寸法が、それぞれ、前記内筐体の外側の厚み方向の寸法と幅方向の寸法の整数倍に対応させて設定され、天板、側板及び底板のそれぞれに、搭載された前記内筐体が備える前記第１の係合曲げ部と係合する第２の係合曲げ部を備えた外筐体と、を備え、
少なくとも一つの前記内筐体が外筐体内に搭載された筐体。
【請求項２】
前記第１の係合曲げ部及び前記第２の係合曲げ部は、それぞれ溝形状を有し、
前記第１の係合曲げ部の開口部の幅は、第２の係合曲げ部の底部の外側の幅よりも小径である請求項２に記載の筐体。
【請求項３】
前記外筐体の内側の厚み方向の寸法は、厚み方向の最小寸法を有する内筐体の外側の厚み方向の寸法の整数倍であり、前記外筐体が備える前記側板に設けられた前記第２の係合曲げ部は、厚み方向に沿って、前記内筐体の前記厚み方向の最小寸法毎に繰り返し設けられた請求項１または２に記載の筐体。
【請求項４】
前記外筐体の内側の幅方向の寸法は、幅方向の最小寸法を有する内筐体の外側の幅方向の寸法の整数倍であり、前記外筐体が備える前記天板又は前記底板に設けられた前記第２の係合曲げ部は、幅方向に沿って、前記内筐体の前記幅方向の最小寸法毎に繰り返し設けられた請求項１から３のいずれか一項に記載の筐体。
【請求項５】
上縁部に第１の吊下げ部を備えた内筐体と、
内側の厚み方向の寸法と幅方向の寸法が、それぞれ、前記内筐体の外側の厚み方向の寸法と幅方向の寸法の整数倍に対応させて設定され、天板に、搭載された前記内筐体が備える前記第１の吊下げ部と係合する第２の吊下げ部を備えた外筐体と、を備え、
少なくとも一つの前記内筐体が外筐体内に搭載された筐体。
【請求項６】
天板、側板及び底板のそれぞれに第１の係合曲げ部を備えると共に、内部に収納対象物を備えた内筐体と、
内側の厚み方向の寸法と幅方向の寸法が、それぞれ、前記内筐体の外側の厚み方向の寸法と幅方向の寸法の整数倍に対応させて設定され、天板、側板及び底板のそれぞれに、搭載された前記内筐体が備える前記第１の係合曲げ部と係合する第２の係合曲げ部を備えた外筐体と、を備え、
少なくとも一つの前記内筐体が外筐体内に搭載された装置。
【発明の詳細な説明】
【技術分野】
【０００１】
本発明は、筐体及び装置に関する。
【背景技術】
【０００２】
従来、大きさの異なる筐体を収納することができるユニットシャーシが知られている（例えば、特許文献１参照）。特許文献１では、ユニットシャーシに収納し、搭載される筐体が、ユニットシャーシに着脱自在に設けられた掛止具が有する受止部に掛かり止めする掛止部を備えることで、筐体を複数個配列して収納できるようにしている。特許文献１では、収納される筐体の大きさに応じて掛止具の脱着が行われる。
【先行技術文献】
【特許文献】
【０００３】
【特許文献１】特開２００９−１２９９３２号公報
【発明の概要】
【発明が解決しようとする課題】
【０００４】
ところで、一種類の外形寸法の外筐体に対し、複数の内筐体を搭載する場合、内筐体の組み合わせに応じて外筐体内を仕切っておくことが考えられる。この場合、内筐体は、外筐体内に設置された仕切り板上に搭載される。しかしながら、収納される内筐体の組み合わせが複数考えられる場合、その組み合わせに合わせて仕切り板を設けておかなければならず、異なる仕様毎の外筐体の設計、準備が手間であり、在庫管理の面でも不都合が多い。特許文献１は、ユニットシャーシ（外筐体に相当）に寸法が異なる筐体（内筐体に相当）を搭載できるものではあるが、収納する筐体の組み合わせに応じて掛止具の脱着作業が必要であり、この点において改善の余地があった。
【０００５】
１つの側面では、本発明は、種々の寸法の内筐体を組み合わせて容易に一つの外筐体に搭載することを目的とする。
【課題を解決するための手段】
【０００６】
１つの態様では、筐体は、天板、側板及び底板のそれぞれに第１の係合曲げ部を備えた内筐体と、内側の厚み方向の寸法と幅方向の寸法が、それぞれ、前記内筐体の外側の厚み方向の寸法と幅方向の寸法の整数倍に対応させて設定され、天板、側板及び底板のそれぞれに、搭載された前記内筐体が備える前記第１の係合曲げ部と係合する第２の係合曲げ部を備えた外筐体と、を備え、少なくとも一つの前記内筐体が外筐体内に搭載されている。
【０００７】
他の態様では、装置は、天板、側板及び底板のそれぞれに第１の係合曲げ部を備えると共に、内部に収納対象物を備えた内筐体と、内側の厚み方向の寸法と幅方向の寸法が、それぞれ、前記内筐体の外側の厚み方向の寸法と幅方向の寸法の整数倍に対応させて設定され、天板、側板及び底板のそれぞれに、搭載された前記内筐体が備える前記第１の係合曲げ部と係合する第２の係合曲げ部を備えた外筐体と、を備え、少なくとも一つの前記内筐体が外筐体内に搭載されている。
【発明の効果】
【０００８】
本発明は、種々の寸法の内筐体を組み合わせて容易に一つの外筐体に搭載することができる。
【図面の簡単な説明】
【０００９】
【図１】図１は第１実施形態の筐体が設置されたラックを示す斜視図である。
【図２】図２は第１実施形態の電子装置を示す斜視図である。
【図３】図３は第１実施形態の電子装置が外筐体に搭載される様子を示す説明図である。
【図４】図４は第１実施形態の外筐体の正面図である。
【図５】図５（Ａ）は第１の内筐体の正面図であり、図５（Ｂ）は第１の内筐体を外筐体に搭載した状態を示す正面図である。
【図６】図６（Ａ）は第１実施形態の外筐体が備える第２の係合曲げ部を拡大して示す説明図であり、図６（Ｂ）は第１実施形態の内筐体が備える第１の係合曲げ部を拡大して示す説明図である。
【図７】図７（Ａ）は第２の内筐体の正面図であり、図７（Ｂ）は第２の内筐体を外筐体に搭載した状態を示す正面図である。
【図８】図８（Ａ）は第３の内筐体の正面図であり、図８（Ｂ）は第３の内筐体を外筐体に搭載した状態を示す正面図である。
【図９】図９は第２実施形態の外筐体の正面図である。
【図１０】図１０（Ａ）は第４の内筐体の正面図であり、図１０（Ｂ）は第４の内筐体を外筐体に搭載した状態を示す正面図である。
【図１１】図１１（Ａ）は第５の内筐体の正面図であり、図１１（Ｂ）は第５の内筐体を外筐体に搭載した状態を示す正面図である。
【図１２】図１２（Ａ）は第６の内筐体の正面図であり、図１２（Ｂ）は第６の内筐体を外筐体に搭載した状態を示す正面図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。なお、以下の説明では、筐体１、第１の内筐体１０等のＸ方向（幅方向）、Ｙ方向（奥行方向）及びＺ方向（厚み方向）は、図１に示すように設定されているものとする。
【００１１】
[第１実施形態]
図１を参照すると、筐体１は、外筐体４０と、この外筐体４０に対し出し入れ自在に設けられた第１の内筐体１０を備える。図１では、単一の第１の内筐体１０のみが描かれているが、外筐体４０には、複数の第１の内筐体１０を搭載することができる。また、後に詳説するように、寸法の異なる内筐体を適宜組み合わせて外筐体４０に搭載した筐体１とすることもできる。
【００１２】
外筐体４０の両側には、それぞれ支柱２がネジ２ａによって取り付けられている。これにより、ラック３が形成されている。本実施形態のラック３には、サーバが搭載される。なお、サーバ以外の他の装置を搭載するようにしてもよい。
【００１３】
図２を参照すると、第１の内筐体１０は、装置の一例である電子装置１００の一部に含まれている。本実施形態における電子装置１００は、サーバユニットである。第１の内筐体１０内には、基板１１が収納されている。基板１１は、収納対象物の一例である。図３を参照すると、第１の内筐体１０の後端部には、基板１１と電気的に接続されているユニット側コネクタ１２が設けられている。ユニット側コネクタ１２は、第１の内筐体１０が外筐体４０に搭載されたときに、外筐体４０に設けられている外筐体側コネクタ４１に差し込まれる。
【００１４】
再び図２を参照すると、第１の内筐体１０は、天板１０ａ、右側板１０ｂ、左側板１０ｃ及び底板１０ｄを備えている。後に説明するように、本実施形態では、第１の内筐体１０に代えて、又は第１の内筐体１０と共に、第２の内筐体２０や第３の内筐体３０を適宜組み合わせて外筐体４０に搭載することができる。ここで、第１の内筐体１０の幅方向の寸法は、最小寸法ＮＳに設定されている。また、第１の内筐体１０の厚み方向の寸法は、最小寸法１Ｕに設定されている。最小寸法ＮＳや最小寸法１Ｕは、規格に基づいて設定されている。
【００１５】
第１の内筐体１０の天板１０ａ、右側板１０ｂ、左側板１０ｃ及び底板１０ｄのそれぞれには、第１の内筐体１０の内側に向かって突出する第１の係合曲げ部が設けられている。第１の係合曲げ部は、いわゆるハット曲げ形状又はこれに類似の形状を有している。
【００１６】
具体的に、天板１０ａには、第１の係合曲げ部１０ａ１、１０ａ２が設けられている。第１の係合曲げ部１０ａ１の右側板１０ｂからの距離と、第１の係合曲げ部１０ａ２の左側板１０ｃからの距離は、等しく設定されている。すなわち、第１の係合曲げ部１０ａ１、１０ａ２は、第１の内筐体１０の幅方向の中心線に対し、線対称に設けられている。
【００１７】
右側板１０ｂの厚み方向の中心部には、第１の係合曲げ部１０ｂ１が設けられている。左側板１０ｃの厚み方向の中心部には、第１の係合曲げ部１０ｃ１が設けられている。第１の係合曲げ部１０ｂ１、１０ｃ１は、第１の内筐体１０の幅方向の中心線に対し、線対称に設けられている。
【００１８】
底板１０ｄには、第１の係合曲げ部１０ｄ１、１０ｄ２が設けられている。第１の係合曲げ部１０ｄ１の右側板１０ｂからの距離と、第１の係合曲げ部１０ｄ２の左側板１０ｃからの距離は、等しく設定されている。すなわち、第１の係合曲げ部１０ｄ１、１０ｄ２は、第１の内筐体１０の幅方向の中心線に対し、線対称に設けられている。また、第１の係合曲げ部１０ｄ１と第１の係合曲げ部１０ａ１は、第１の内筐体１０の厚み方向の中心線に対し、線対称に設けられている。さらに、第１の係合曲げ部１０ｄ２と第１の係合曲げ部１０ａ２は、第１の内筐体１０の厚み方向の中心線に対し、線対称に設けられている。
【００１９】
それぞれの第１の係合曲げ部１０ａ１〜１０ｄ２は、Ｙ方向（奥行方向）に沿って延びる溝形状を有している。溝形状は、天板１０ａ、右側板１０ｂ、左側板１０ｃ及び底板１０ｄに開口している。
【００２０】
第１の内筐体１０は、板金加工によって形成されている。天板１０ａ、右側板１０ｂ、左側板１０ｃ及び底板１０ｄ、さらには、第１の係合曲げ部１０ａ１〜１０ｄ２は、折曲げ加工によって形成されている。
【００２１】
つぎに、外筐体４０について説明する。外筐体４０は、天板４０ａ、右側板４０ｂ、左側板４０ｃ及び底板４０ｄを備えている。外筐体４０は、複数種類が準備される内筐体と異なり、１種類である。図４を参照すると、外筐体４０の内側の厚み方向の寸法は、２Ｕに設定されている。すなわち、第１の内筐体１０の厚み方向の寸法である最小寸法１Ｕの整数倍となる２倍に設定されている。また、外筐体４０の内側の幅方向の寸法は、幅広寸法ＷＳに設定されている。ここで、幅広寸法ＷＳは、最小寸法ＮＳの整数倍となる２倍に設定されている。
【００２２】
外筐体４０の内側には、何らの仕切り壁も設置されていないものの、領域Ａ１から領域Ａ４が設定されている。領域Ａ１から領域Ａ４は、同一の厚み方向の寸法及び幅方向の寸法を有している。すなわち、領域Ａ１から領域Ａ４は、いずれも、厚み方向の寸法１Ｕ及び幅方向の寸法ＮＳを有している。これらの寸法は、第１の内筐体１０の外側の寸法と一致している。第１の内筐体１０は、領域Ａ１から領域Ａ４のそれぞれへ搭載することができる。
【００２３】
外筐体４０の天板４０ａ、右側板４０ｂ、左側板４０ｃ及び底板４０ｄのそれぞれには、外筐体４０の内側に向かって突出する第２の係合曲げ部が設けられている。第２の係合曲げ部は、いわゆるハット曲げ形状又はこれに類似の形状を有している。
【００２４】
具体的に、天板４０ａには、第２の係合曲げ部４０ａ１、４０ａ２、４０ａ３、４０ａ４が設けられている。ここで、領域Ａ１に属している第２の係合曲げ部４０ａ１、４０ａ２間の距離、領域Ａ２に属している第２の係合曲げ部４０ａ３、４０ａ４間の距離は、いずれも、第１の内筐体１０の第１の係合曲げ部１０ａ１、１０ａ２間の距離に等しい。
【００２５】
右側板４０ｂは、領域Ａ１に接する部分に第２の係合曲げ部４０ｂ１を備え、領域Ａ１の下側に位置する領域Ａ３に接する部分に第２の係合曲げ部４０ｂ２を備える。第２の係合曲げ部４０ｂ１は、領域Ａ１の厚み方向の中心部に一致させて設けられている。第２の係合曲げ部４０ｂ２は、領域Ａ３の厚み方向の中心部に一致させて設けられている。
【００２６】
左側板４０ｃは、領域Ａ２に接する部分に第２の係合曲げ部４０ｃ１を備え、領域Ａ２の下側に位置する領域Ａ４に接する部分に第２の係合曲げ部４０ｃ２を備える。第２の係合曲げ部４０ｃ１は、領域Ａ２の厚み方向の中心部に一致させて設けられている。第２の係合曲げ部４０ｃ２は、領域Ａ４の厚み方向の中心部に一致させて設けられている。
【００２７】
底板４０ｄには、第２の係合曲げ部４０ｄ１、４０ｄ２、４０ｄ３、４０ｄ４が設けられている。ここで、領域Ａ３に属している第２の係合曲げ部４０ｄ１、４０ｄ２間の距離、領域Ａ４に属している第２の係合曲げ部４０ｄ３、４０ｄ４間の距離は、いずれも、第１の内筐体１０の第１の係合曲げ部１０ｄ１、１０ｄ２間の距離に等しい。
【００２８】
つぎに、図５（Ａ）及び図５（Ｂ）を参照して、第１の内筐体１０が外筐体４０に収納され、搭載された様子について説明する。図５（Ｂ）は図５（Ａ）に示す第１の内筐体１０を４個組み合わせて外筐体４０に搭載した様子を示している。
【００２９】
領域Ａ１に収納された第１の内筐体１０の第１の係合曲げ部１０ａ１は、外筐体４０の第２の係合曲げ部４０ａ１に係合し、第１の係合曲げ部１０ａ２は、第２の係合曲げ部４０ａ２に係合している。また、第１の内筐体１０の第１の係合曲げ部１０ｂ１は、外筐体４０の第２の係合曲げ部４０ｂ１に係合している。このとき、第１の係合曲げ部１０ｃ１、１０ｄ１、１０ｄ２は使われていない。
【００３０】
領域Ａ２に収納された第１の内筐体１０の第１の係合曲げ部１０ａ１は、外筐体４０の第２の係合曲げ部４０ａ３に係合し、第１の係合曲げ部１０ａ２は、第２の係合曲げ部４０ａ４に係合している。また、第１の内筐体１０の第１の係合曲げ部１０ｃ１は、外筐体４０の第２の係合曲げ部４０ｃ１に係合している。このとき、第１の係合曲げ部１０ｂ１、１０ｄ１、１０ｄ２は使われていない。
【００３１】
領域Ａ３に収納された第１の内筐体１０の第１の係合曲げ部１０ｄ１は、外筐体４０の第２の係合曲げ部４０ｄ１に係合し、第１の係合曲げ部１０ｄ２は、第２の係合曲げ部４０ｄ２に係合している。また、第１の内筐体１０の第１の係合曲げ部１０ｂ１は、外筐体４０の第２の係合曲げ部４０ｂ２に係合している。このとき、第１の係合曲げ部１０ａ１、１０ａ２、１０ｃ１は使われていない。
【００３２】
領域Ａ４に収納された第１の内筐体１０の第１の係合曲げ部１０ｄ１は、外筐体４０の第２の係合曲げ部４０ｄ３に係合し、第１の係合曲げ部１０ｄ２は、第２の係合曲げ部４０ｄ４に係合している。また、第１の内筐体１０の第１の係合曲げ部１０ｃ１は、外筐体４０の第２の係合曲げ部４０ｃ２に係合している。このとき、第１の係合曲げ部１０ａ１、１０ａ２、１０ｂ１は使われていない。
【００３３】
ここで、図６（Ａ）及び図６（Ｂ）を参照して、第１の係合曲げ部と第２の係合曲げ部の形状及び寸法について説明する。第１の係合曲げ部１０ａ１及び第２の係合曲げ部４０ａ１は、それぞれ溝形状を有している。第１の係合曲げ部１０ａ１は開口部１０ａ１１と底部１０ａ１２を備える。第２の係合曲げ部４０ａ１は開口部４０ａ１１と底部４０ａ１２を備える。第１の係合曲げ部１０ａ１の開口部１０ａ１１の幅はＷ２であり、底部１０ａ１２の内側の幅はＷ１である。一方、第２の係合曲げ部４０ａ１の開口部４０ａ１１の外側の幅はＷ４であり、底部４０ａ１２の外側の幅はＷ３である。
【００３４】
図６（Ａ）及び図６（Ｂ）から明らかであるように、Ｗ１＞Ｗ２、Ｗ３＞Ｗ４である。また、Ｗ１＞Ｗ３であり、Ｗ２＞Ｗ４である。これにより、第２の係合曲げ部４０ａ１が第１の係合曲げ部１０ａ１の内側に入り込み、両者が係合される。また、Ｗ２＜Ｗ３であることから、第１の内筐体１０が外筐体４０に吊り下げられた状態となる。
【００３５】
図６では、第１の係合曲げ部１０ａ１と第２の係合曲げ部４０ａ１との組み合わせについて示しているが、他の組み合わせについても同様である。
【００３６】
第１の内筐体１０は、厚み方向の中心線及び幅方向の中心線に対し、それぞれ線対称となる位置に第１の係合曲げ部を備えているので、外筐体４０に対する搭載位置を変更しても、外筐体４０に収納することができる。
【００３７】
つぎに、図７（Ａ）及び図７（Ｂ）を参照して第２の内筐体２０を外筐体４０に搭載する例について説明する。第２の内筐体２０は、第１の内筐体１０に代えて、又は、第１の内筐体１０と組み合わせて外筐体４０に搭載することができる。
【００３８】
第２の内筐体２０の厚み方向の寸法は、１Ｕに設定されている。第２の内筐体２０の幅方向の寸法は、幅広寸法ＷＳに設定されている。
【００３９】
第２の内筐体２０の天板２０ａ、右側板２０ｂ、左側板２０ｃ及び底板２０ｄのそれぞれには、第２の内筐体２０の内側に向かって突出する第１の係合曲げ部が設けられている。
【００４０】
具体的に、天板２０ａには、第１の係合曲げ部２０ａ１、２０ａ２、２０ａ３、２０ａ４が設けられている。第１の係合曲げ部２０ａ１の右側板２０ｂからの距離と、第１の係合曲げ部２０ａ４の左側板２０ｃからの距離は、等しく設定されている。すなわち、第１の係合曲げ部２０ａ１、２０ａ４は、第２の内筐体２０の幅方向の中心線に対し、線対称に設けられている。また、第１の係合曲げ部２０ａ２の右側板２０ｂからの距離と、第１の係合曲げ部２０ａ３の左側板２０ｃからの距離は、等しく設定されている。すなわち、第１の係合曲げ部２０ａ２、２０ａ３は、第２の内筐体２０の幅方向の中心線に対し、線対称に設けられている。
【００４１】
右側板２０ｂの厚み方向の中心部には、第１の係合曲げ部２０ｂ１が設けられている。左側板２０ｃの厚み方向の中心部には、第１の係合曲げ部２０ｃ１が設けられている。第１の係合曲げ部２０ｂ１、２０ｃ１は、第２の内筐体２０の幅方向の中心線に対し、線対称に設けられている。
【００４２】
底板２０ｄには、第１の係合曲げ部２０ｄ１、２０ｄ２、２０ｄ３、２０ｄ４が設けられている。第１の係合曲げ部２０ｄ１の右側板２０ｂからの距離と、第１の係合曲げ部２０ｄ４の左側板２０ｃからの距離は、等しく設定されている。すなわち、第１の係合曲げ部２０ｄ１、２０ｄ４は、第２の内筐体２０の幅方向の中心線に対し、線対称に設けられている。また、第１の係合曲げ部２０ｄ２の右側板２０ｂからの距離と、第１の係合曲げ部２０ｄ３の左側板２０ｃからの距離は、等しく設定されている。すなわち、第１の係合曲げ部２０ｄ２、２０ｄ３は、第２の内筐体２０の幅方向の中心線に対し、線対称に設けられている。
【００４３】
また、第１の係合曲げ部２０ｄ１と第１の係合曲げ部２０ａ１は、第２の内筐体２０の厚み方向の中心線に対し、線対称に設けられている。さらに、第１の係合曲げ部２０ｄ２と第１の係合曲げ部２０ａ２は、第２の内筐体２０の厚み方向の中心線に対し、線対称に設けられている。また、第１の係合曲げ部２０ｄ３と第１の係合曲げ部２０ａ３は、第２の内筐体２０の厚み方向の中心線に対し、線対称に設けられており、第１の係合曲げ部２０ｄ４と第１の係合曲げ部２０ａ４は、第２の内筐体２０の厚み方向の中心線に対し、線対称に設けられている。
【００４４】
それぞれの第１の係合曲げ部２０ａ１〜２０ｄ４は、Ｙ方向（奥行方向）に沿って延びる溝形状を有している。溝形状は、天板２０ａ、右側板２０ｂ、左側板２０ｃ及び底板２０ｄに開口している。
【００４５】
第２の内筐体２０は、板金加工によって形成されている。天板２０ａ、右側板２０ｂ、左側板２０ｃ及び底板２０ｄ、さらには、第１の係合曲げ部２０ａ１〜２０ｄ４は、折曲げ加工によって形成されている。
【００４６】
このような第２の内筐体２０は、図７（Ｂ）に示すように、２段重ねの状態で外筐体４０に搭載することができる。上段の第２の内筐体２０は、領域Ａ１及び領域Ａ２を用いて搭載されている。下段の第２の内筐体２０は、領域Ａ３及び領域Ａ４を用いて搭載されている。
【００４７】
領域Ａ１及び領域Ａ２に収納された第２の内筐体２０の第１の係合曲げ部２０ａ１は、外筐体４０の第２の係合曲げ部４０ａ１に係合し、第１の係合曲げ部２０ａ２は、第２の係合曲げ部４０ａ２に係合している。第１の係合曲げ部２０ａ３は、第２の係合曲げ部４０ａ３に係合し、第１の係合曲げ部２０ａ４は、第２の係合曲げ部４０ａ４に係合している。また、第２の内筐体２０の第１の係合曲げ部２０ｂ１は、外筐体４０の第２の係合曲げ部４０ｂ１に係合し、第１の係合曲げ部２０ｃ１は、外筐体４０の第２の係合曲げ部４０ｃ１に係合している。このとき、第１の係合曲げ部２０ｄ１、２０ｄ２、２０ｄ３、２０ｄ４は使われていない。
【００４８】
領域Ａ３及び領域Ａ４に収納された第２の内筐体２０の第１の係合曲げ部２０ｄ１は、外筐体４０の第２の係合曲げ部４０ｄ１に係合し、第１の係合曲げ部２０ｄ２は、第２の係合曲げ部４０ｄ２に係合している。第１の係合曲げ部２０ｄ３は、第２の係合曲げ部４０ｄ３に係合し、第１の係合曲げ部２０ｄ４は、第２の係合曲げ部４０ｄ４に係合している。また、第２の内筐体２０の第１の係合曲げ部２０ｂ１は、外筐体４０の第２の係合曲げ部４０ｂ２に係合し、第１の係合曲げ部２０ｃ１は、外筐体４０の第２の係合曲げ部４０ｃ２に係合している。このとき、第１の係合曲げ部２０ａ１、２０ａ２、２０ａ３、２０ａ４は使われていない。
【００４９】
このように、第１の内筐体１０とは異なる寸法を有する第２の内筐体２０であっても、同一の外筐体４０に搭載することができる。なお、いずれかの第２の内筐体２０を幅方向に並列配置させた第１の内筐体１０の組み合わせに入れ替えて使用することもできる。
【００５０】
つぎに、図８（Ａ）及び図８（Ｂ）を参照して第３の内筐体３０を外筐体４０に搭載する例について説明する。第３の内筐体３０は、第１の内筐体１０に代えて、又は、第１の内筐体１０と組み合わせて外筐体４０に搭載することができる。
【００５１】
第３の内筐体３０の厚み方向の寸法は、２Ｕに設定されている。第３の内筐体３０の幅方向の寸法は、最小寸法ＮＳに設定されている。
【００５２】
第３の内筐体３０の天板３０ａ、右側板３０ｂ、左側板３０ｃ及び底板３０ｄのそれぞれには、第３の内筐体３０の内側に向かって突出する第１の係合曲げ部が設けられている。
【００５３】
具体的に、天板３０ａには、第１の係合曲げ部３０ａ１、３０ａ２が設けられている。第１の係合曲げ部３０ａ１の右側板３０ｂからの距離と、第１の係合曲げ部３０ａ２の左側板３０ｃからの距離は、等しく設定されている。すなわち、第１の係合曲げ部３０ａ１、３０ａ２は、第３の内筐体３０の幅方向の中心線に対し、線対称に設けられている。
【００５４】
右側板３０ｂには、第１の係合曲げ部３０ｂ１、３０ｂ２が設けられている。第１の係合曲げ部３０ｂ１の天板３０ａからの距離と、第１の係合曲げ部３０ｂ２の底板３０ｄからの距離は、等しく設定されている。すなわち、第１の係合曲げ部３０ｂ１、３０ｂ２は、第３の内筐体３０の厚み方向の中心線に対し、線対称に設けられている。
【００５５】
左側板３０ｃには、第１の係合曲げ部３０ｃ１、３０ｃ２が設けられている。第１の係合曲げ部３０ｃ１の天板３０ａからの距離と、第１の係合曲げ部３０ｃ２の底板３０ｄからの距離は、等しく設定されている。すなわち、第１の係合曲げ部３０ｃ１、３０ｃ２は、第３の内筐体３０の厚み方向の中心線に対し、線対称に設けられている。
【００５６】
また、第１の係合曲げ部３０ｂ１、３０ｃ１、第１の係合曲げ部３０ｂ２、３０ｃ２は、それぞれ第３の内筐体３０の幅方向の中心線に対し、線対称に設けられている。
【００５７】
底板３０ｄには、第１の係合曲げ部３０ｄ１、３０ｄ２が設けられている。第１の係合曲げ部３０ｄ１の右側板３０ｂからの距離と、第１の係合曲げ部３０ｄ２の左側板３０ｃからの距離は、等しく設定されている。すなわち、第１の係合曲げ部３０ｄ１、３０ｄ２は、第３の内筐体３０の幅方向の中心線に対し、線対称に設けられている。
【００５８】
また、第１の係合曲げ部３０ｄ１と第１の係合曲げ部３０ａ１は、第３の内筐体３０の厚み方向の中心線に対し、線対称に設けられている。さらに、第１の係合曲げ部３０ｄ２と第１の係合曲げ部３０ａ２は、第３の内筐体３０の厚み方向の中心線に対し、線対称に設けられている。
【００５９】
それぞれの第１の係合曲げ部３０ａ１〜３０ｄ２は、Ｙ方向（奥行方向）に沿って延びる溝形状を有している。溝形状は、天板３０ａ、右側板３０ｂ、左側板３０ｃ及び底板３０ｄに開口している。
【００６０】
第３の内筐体３０は、板金加工によって形成されている。天板３０ａ、右側板３０ｂ、左側板３０ｃ及び底板３０ｄ、さらには、第１の係合曲げ部３０ａ１〜３０ｄ２は、折曲げ加工によって形成されている。
【００６１】
このような第３の内筐体３０は、図７（Ｂ）に示すように、幅方向に連ねた状態で外筐体４０に搭載することができる。右側の第３の内筐体３０は、領域Ａ１及び領域Ａ３を用いて搭載されている。左側の第３の内筐体３０は、領域Ａ２及び領域Ａ４を用いて搭載されている。
【００６２】
領域Ａ１及び領域Ａ３に収納された第３の内筐体３０の第１の係合曲げ部３０ａ１は、外筐体４０の第２の係合曲げ部４０ａ１に係合し、第１の係合曲げ部３０ａ２は、第２の係合曲げ部４０ａ２に係合している。また、第３の内筐体３０の第１の係合曲げ部３０ｂ１は、外筐体４０の第２の係合曲げ部４０ｂ１に係合し、第１の係合曲げ部３０ｂ２は、第２の係合曲げ部４０ｂ２に係合している。このとき、第１の係合曲げ部３０ｃ１、３０ｃ２は使われていない。
【００６３】
領域Ａ２及び領域Ａ４に収納された第３の内筐体３０の第１の係合曲げ部３０ａ１は、外筐体４０の第２の係合曲げ部４０ａ３に係合し、第１の係合曲げ部３０ａ２は、第２の係合曲げ部４０ａ４に係合している。また、第３の内筐体３０の第１の係合曲げ部３０ｃ１は、外筐体４０の第２の係合曲げ部４０ｃ１に係合し、第１の係合曲げ部３０ｃ２は、第２の係合曲げ部４０ｃ２に係合している。このとき、第１の係合曲げ部３０ｂ１、３０ｂ２は使われていない。
【００６４】
このように、第１の内筐体１０とは異なる寸法を有する第３の内筐体３０であっても、同一の外筐体４０に搭載することができる。なお、いずれかの第３の内筐体３０を厚み方向に並列配置させた第１の内筐体１０の組み合わせに入れ替えて使用することもできる。
【００６５】
このように、本実施形態の筐体１では、外筐体４０の内側の厚み方向の寸法が、厚み方向の最小寸法１Ｕを有する第１の内筐体１０の外側の厚み方向の寸法の整数倍である。また、外筐体４０が備える右側板４０ｂ、左側板４０ｃに設けられた第２の係合曲げ部４０ｂ１、４０ｂ２、４０ｃ１、４０ｃ２は、厚み方向に沿って、第１の内筐体１０の厚み方向の最小寸法１Ｕ毎に繰り返し設けられている。このため、第１の内筐体１０や第２の内筐体２０のように厚み方向の寸法が最小寸法１Ｕである内筐体を重ねた状態で搭載できる。また、第３の内筐体３０のように、厚み法の寸法が最小寸法１Ｕの整数倍である内筐体を搭載することもできる。
【００６６】
また、本実施形態の筐体１では、外筐体４０の内側の幅方向の寸法が、幅方向の最小寸法ＮＳを有する第１の内筐体１０の外側の幅方向の寸法の整数倍である。また、外筐体４０が備える天板４０ａ、底板４０ｄに設けられた第２の係合曲げ部４０ａ１〜４０ｄ４は、幅方向に沿って、第１の内筐体１０の幅方向の最小寸法ＮＳ毎に繰り返し設けられている。このため、第１の内筐体１０や第３の内筐体３０のように幅方向の寸法が最小寸法ＮＳである内筐体を幅方向に連ねた状態で搭載できる。また、第２の内筐体２０のように、幅法の寸法が最小寸法ＮＳの整数倍である内筐体を搭載することもできる。
【００６７】
また、本実施形態の筐体１に含まれる内筐体、外筐体は、それぞれ、天板、側板、底板に係合曲げ部が設けられているため、各板体の強度を向上させることができる。
【００６８】
さらに、係合曲げ部が天板、側板、底板に設けられているため、内筐体の外筐体に対するずれが少なく、図３に示すように、ユニット側コネクタ１２を外筐体側コネクタ４１に差し込む際の位置精度が向上する。
【００６９】
また、本実施形態の筐体１によれば、外筐体４０の下側の領域、すなわち、領域Ａ３や領域Ａ４に内筐体が搭載されていない状態であっても、領域Ａ１や領域Ａ２に安定した状態で内筐体を搭載することができる。天板に設けた係合曲げ部同士が係合するからである。
【００７０】
また、外筐体４０の左右いずれかの領域、例えば、領域Ａ２に内筐体が搭載されていない状態であっても、領域Ａ１に搭載された内筐体を左右方向にずれることなく、安定した状態で搭載することができる。側板に設けた係合曲げ部同士が係合するからである。
【００７１】
このように、本実施形態によれば、種々の寸法の内筐体を組み合わせて容易に一つの外筐体に搭載することができる。なお、本実施形態では、厚み方向の寸法、幅方向の寸法を、それぞれの最小寸法１Ｕ、最小寸法ＮＳの２倍とした例を示しているが、その他の整数倍、例えば、３倍や４倍等としてもよい。
【００７２】
[第２実施形態]
つぎに、図９〜図１２を参照して第２実施形態について説明する。
【００７３】
図９を参照すると、外筐体９０は、天板９０ａ、右側板９０ｂ、左側板９０ｃ及び底板９０ｄを備えている。外筐体９０は、複数種類が準備される内筐体と異なり、１種類である。図９を参照すると、外筐体９０の内側の厚み方向の寸法は、２Ｕに設定されている。すなわち、後に説明する第４の内筐体６０の厚み方向の寸法である最小寸法１Ｕの整数倍となる２倍に設定されている。また、外筐体９０の内側の幅方向の寸法は、幅広寸法ＷＳに設定されている。ここで、幅広寸法ＷＳは、最小寸法ＮＳの整数倍となる２倍に設定されている。
【００７４】
外筐体９０の内側には、何らの仕切り壁も設置されていないものの、領域Ａ１１から領域Ａ１４が設定されている。領域Ａ１１から領域Ａ１４は、同一の厚み方向の寸法及び幅方向の寸法を有している。すなわち、領域Ａ１１から領域Ａ１４は、いずれも、厚み方向の寸法１Ｕ及び幅方向の寸法ＮＳを有している。
【００７５】
外筐体９０の天板９０ａの下面側には、後に説明する第４の内筐体６０が備える第１の吊下げ部６０ｂ１、６０ｃ１と係合する第２の吊下げ部９０ａ１、９０ａ２、９０ａ３、９０ａ４が設けられている。第２の吊下げ部９０ａ１、９０ａ２、９０ａ３、９０ａ４は、いずれも、正面から見たときに鈎状を有している。
【００７６】
領域Ａ１１に属している第２の吊下げ部９０ａ１、９０ａ２間の距離、領域Ａ１２に属している第２の吊下げ部９０ａ３、９０ａ４間の距離は、いずれも、第４の内筐体６０の第１の吊下げ部６０ｂ１、６０ｃ１間の距離に等しい。
【００７７】
つぎに、図１０（Ａ）を参照し、第４の内筐体６０について説明する。第４の内筐体６０は、右側板６０ｂ、左側板６０ｃ及び底板６０ｄを備える。第４の内筐体６０の上縁部、具体的に、右側板６０ｂの上縁部及び左側板６０ｃの上縁部には、それぞれ、第１の吊下げ部６０ｂ１、６０ｃ１が設けられている。ここで、第４の内筐体６０の幅方向の寸法は、最小寸法ＮＳに設定されている。また、第４の内筐体６０の厚み方向の寸法は、最小寸法１Ｕに設定されている。
【００７８】
このような第４の内筐体６０は、図１０（Ｂ）に示すように、領域Ａ１１に搭載されるとき、第１の吊下げ部６０ｂ１、６０ｃ１が第２の吊下げ部９０ａ１、９０ａ２に引っ掛けられた状態とされて、両者が係合状態とされる。同様に、第４の内筐体６０は、領域Ａ１２に搭載されるとき、第１の吊下げ部６０ｂ１、６０ｃ１が第２の吊下げ部９０ａ３、９０ａ４に引っ掛けられた状態とされて、両者が係合状態とされる。
【００７９】
なお、本実施形態において、領域Ａ１３や領域Ａ１４に搭載される第４の内筐体６０は、外筐体９０の底板９０ｄ上に載置された状態とされる。
【００８０】
つぎに、図１１（Ａ）を参照して、第５の内筐体７０について説明する。第５の内筐体７０は、右側板７０ｂ、左側板７０ｃ及び底板７０ｄを備える。第５の内筐体７０の上縁部、具体的に、右側板７０ｂの上縁部及び左側板７０ｃの上縁部には、それぞれ、第１の吊下げ部７０ｂ１、７０ｃ１が設けられている。ここで、第５の内筐体７０の幅方向の寸法は、最小寸法ＮＳに設定されている。また、第５の内筐体７０の厚み方向の寸法は、最小寸法１Ｕの整数倍である２Ｕに設定されている。
【００８１】
このような第５の内筐体７０は、図１１（Ｂ）に示すように、領域Ａ１１及び領域Ａ１３を用いて搭載されるとき、第１の吊下げ部７０ｂ１、７０ｃ１が第２の吊下げ部９０ａ１、９０ａ２に引っ掛けられた状態とされて、両者が係合状態とされる。同様に、第４の内筐体６０は、領域Ａ１２及び領域Ａ１４に搭載されるとき、第１の吊下げ部７０ｂ１、７０ｃ１が第２の吊下げ部９０ａ３、９０ａ４に引っ掛けられた状態とされて、両者が係合状態とされる。
【００８２】
つぎに、図１２（Ａ）を参照して、第６の内筐体８０について説明する。第６の内筐体８０は、右側板８０ｂ、左側板８０ｃ及び底板８０ｄを備える。第６の内筐体８０の上縁部、具体的に、右側板８０ｂの上縁部及び左側板８０ｃの上縁部には、それぞれ、第１の吊下げ部８０ｂ１、８０ｃ１が設けられている。ここで、第６の内筐体８０の幅方向の寸法は、最小寸法ＮＳの整数倍である幅広寸法ＷＳに設定されている。また、第５の内筐体７０の厚み方向の寸法は、最小寸法１Ｕに設定されている。
【００８３】
このような第６の内筐体８０は、図１２（Ｂ）に示すように、領域Ａ１１及び領域Ａ１２を用いて搭載されるとき、第１の吊下げ部８０ｂ１、８０ｃ１が第２の吊下げ部９０ａ１、９０ａ４に引っ掛けられた状態とされて、両者が係合状態とされる。
【００８４】
なお、本実施形態において、領域Ａ１３及び領域Ａ１４に搭載される第６の内筐体８０は、外筐体９０の底板９０ｄ上に載置された状態とされる。
【００８５】
以上のように、第２実施形態においても、種々の寸法の内筐体を組み合わせて容易に一つの外筐体に搭載することができる。
【００８６】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００８７】
１  筐体
２  支柱
３  ラック
１０  第１の内筐体
１０ａ、２０ａ、３０ａ、６０ａ、７０ａ  天板
１０ａ１、１０ａ２、１０ｂ１、１０ｃ１  第１の係合曲げ部
１０ｂ  右側板
１０ｃ  左側板
１０ｄ  底板
１１  基板
１２  ユニット側コネクタ
２０  第２の内筐体
３０  第３の筐体
４０  外筐体
４０ａ  天板
４０ａ１、４０ａ２、４０ａ３、４０ａ４、４０ｂ１、４０ｂ２、４０ｃ１、４０ｃ２、４０ｄ１、４０ｄ２  第２の係合曲げ部
４０ｂ  右側板
４０ｃ  左側板
４０ｄ  底板
４１  外筐体側コネクタ
６０  内筐体
６０ｂ１、６０ｃ１  第１の吊下げ部
９０  外筐体
９０ａ  天板
９０ａ１、９０ａ２、９０ａ３、９０ａ４  第２の吊下げ部
９０ｂ  右側板
９０ｃ  左側板
９０ｄ  底板
１００  電子装置
【図１】
2019220579.tif 000003
【図２】
2019220579.tif 000004
【図３】
2019220579.tif 000005
【図４】
2019220579.tif 000006
【図５】
2019220579.tif 000007
【図６】
2019220579.tif 000008
【図７】
2019220579.tif 000009
【図８】
2019220579.tif 000010
【図９】
2019220579.tif 000011
【図１０】
2019220579.tif 000012
【図１１】
2019220579.tif 000013
【図１２】
2019220579.tif 000014